(57)【要約】【課題】本発明は、デジタル放送の符号化映像データを記録媒体に記録し、早送り等の特殊再生を可能にするデジタル放送記録再生装置に関するものであり、再生速度を任意に設定できると共に、なめらかな特殊再生を実現する。【解決手段】記録媒体に記録する前に、トランスポートストリームパケット毎にピクチャ種別情報を解析後、このピクチャ種別解析情報と、記録媒体へのトランスポートストリームパケットの記録位置との対応情報を、トランスポートストリームの記録位置とは別の位置に記録する。この対応情報に基づいて、特定のピクチャのみを再生することにより早送り等の特殊再生を実現するようにした。【選択図】        図１
2011103687.tif 000002
【特許請求の範囲】
【請求項１】
１フレーム分のピクチャを格納したＰＥＳパケットを複数に分割した固定長の固定長パケットを含むストリームを受信する受信手段と、
前記受信されたストリームに含まれる固定長パケットから、固定長パケットヘッダとＰＥＳパケットヘッダを除去し、前記ピクチャに対応するデータを分離するデマルチプレクス手段と、
前記分離されたデータをデコードするデコード手段と、
記録媒体と、
前記固定長パケットを、固定長パケット形式のまま前記記録媒体に記録させるとともに、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブルを前記記録媒体に記録させる記録手段と、
前記記録媒体から前記固定長パケットを読み出す読み出し部と、を備え、
前記読み出し部は、
通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、
特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させること
を特徴とするデジタル信号記録再生装置。
【請求項２】
１フレーム分のピクチャを格納したＰＥＳパケットを複数に分割した固定長の固定長パケットを含むストリームを受信する受信手段と、
前記受信されたストリームに含まれる固定長パケットから、固定長パケットヘッダとＰＥＳパケットヘッダを除去し、前記ピクチャに対応するデータを分離するデマルチプレクス手段と、
前記分離されたデータをデコードするデコード手段と、
記録媒体と、
前記固定長パケットを、固定長パケット形式のまま前記記録媒体に記録させるとともに、ＰＥＳパケットに格納されたＩピクチャ及びＰピクチャのそれぞれの先頭部分を格納した各固定長パケットの記録位置情報と、当該ＰＥＳパケットに格納されたＩピクチャ及びＰピクチャのそれぞれの最後の部分を格納した各固定長パケットの記録位置情報とを含む管理テーブルを前記記録媒体に記録させる記録手段と、
前記記録媒体から前記固定長パケットを読み出す読み出し部と、を備え、
前記読み出し部は、
通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、
特殊再生時には、前記管理テーブルを参照することで、前記記録媒体から、ＰＥＳパケットに格納されたＩピクチャを格納した固定長パケット及び前記ＰＥＳパケットに格納されたＰピクチャを格納した固定長パケットを順次読み出して、当該読み出された固定長パケットを前記デマルチプレクス手段に入力し、前記デマルチプレクス手段に、ＰＥＳパケットに格納されたＩピクチャ及びＰピクチャに対応するデータを分離させ、当該分離されたデータを前記デコード手段へ出力させること
を特徴とするデジタル信号記録再生装置。
【請求項３】
前記管理テーブルは、次のＰＥＳパケットに格納されたＩピクチャの先頭部分を格納した固定長パケットの記録位置情報を記録した位置情報をさらに含むこと
を特徴とする請求項１又は２に記載のデジタル信号記録再生装置。
【請求項４】
固定長パケットから、固定長パケットヘッダとＰＥＳパケットヘッダを除去し、ピクチャに対応するデータを分離するデマルチプレクス手段と、
前記分離されたデータをデコードするデコード手段と、
前記固定長パケット、及び、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブル、を記録する記録媒体と、
前記記録媒体から前記固定長パケットを読み出す読み出し部と、を備え、
前記読み出し部は、
通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、
特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させること
を特徴とするデジタル信号再生装置。
【請求項５】
固定長パケットから、固定長パケットヘッダとＰＥＳパケットヘッダを除去し、ピクチャに対応するデータを分離するデマルチプレクス手段と、
前記分離されたデータをデコードするデコード手段と、
前記固定長パケット、並びに、ＰＥＳパケットに格納されたＩピクチャ及びＰピクチャのそれぞれの先頭部分を格納した各固定長パケットの記録位置情報と、当該ＰＥＳパケットに格納されたＩピクチャ及びＰピクチャのそれぞれの最後の部分を格納した各固定長パケットの記録位置情報とを含む管理テーブル、を記録する記録媒体と、
前記記録媒体から前記固定長パケットを読み出す読み出し部と、を備え、
前記読み出し部は、
通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、
特殊再生時には、前記管理テーブルを参照することで、前記記録媒体から、ＰＥＳパケットに格納されたＩピクチャを格納した固定長パケット及び前記ＰＥＳパケットに格納されたＰピクチャを格納した固定長パケットを順次読み出して、当該読み出された固定長パケットを前記デマルチプレクス手段に入力し、前記デマルチプレクス手段に、ＰＥＳパケットに格納されたＩピクチャ及びＰピクチャに対応するデータを分離させ、当該分離されたデータを前記デコード手段へ出力させること
を特徴とするデジタル信号再生装置。
【請求項６】
前記管理テーブルは、次のＰＥＳパケットに格納されたＩピクチャの先頭部分を格納した固定長パケットの記録位置情報を記録した位置情報をさらに含むこと
を特徴とする請求項４又は５に記載のデジタル信号再生装置。
【請求項７】
１フレーム分のピクチャを格納したＰＥＳパケットを複数に分割した固定長の固定長パケットを含むストリームを受信する受信手段と、
前記受信されたストリームに含まれる固定長パケットから、固定長パケットヘッダとＰＥＳパケットヘッダを除去し、前記ピクチャに対応するデータを分離するデマルチプレクス手段と、
前記分離されたデータをデコードするデコード手段と、
記録媒体と、
前記固定長パケットを、固定長パケット形式のまま前記記録媒体に記録させるとともに、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブルを前記記録媒体に記録させる記録手段と、
前記記録媒体から前記固定長パケットを読み出す読み出し部と、を備えるデジタル信号記録再生装置が行うデジタル信号記録再生方法であって、
前記読み出し部が、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させる過程と、
前記読み出し部が、特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させる過程と、を有すること
を特徴とするデジタル信号記録再生方法。
【請求項８】
１フレーム分のピクチャを格納したＰＥＳパケットを複数に分割した固定長の固定長パケットを含むストリームを受信する受信手段と、
前記受信されたストリームに含まれる固定長パケットから、固定長パケットヘッダとＰＥＳパケットヘッダを除去し、前記ピクチャに対応するデータを分離するデマルチプレクス手段と、
前記分離されたデータをデコードするデコード手段と、
記録媒体と、
前記固定長パケットを、固定長パケット形式のまま前記記録媒体に記録させるとともに、ＰＥＳパケットに格納されたＩピクチャ及びＰピクチャのそれぞれの先頭部分を格納した各固定長パケットの記録位置情報と、当該ＰＥＳパケットに格納されたＩピクチャ及びＰピクチャのそれぞれの最後の部分を格納した各固定長パケットの記録位置情報とを含む管理テーブルを前記記録媒体に記録させる記録手段と、
前記記録媒体から前記固定長パケットを読み出す読み出し部と、を備えるデジタル信号記録再生装置が行うデジタル信号記録再生方法であって、
前記読み出し部が、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させる過程と、
前記読み出し部が、特殊再生時には、前記管理テーブルを参照することで、前記記録媒体から、ＰＥＳパケットに格納されたＩピクチャを格納した固定長パケット及び前記ＰＥＳパケットに格納されたＰピクチャを格納した固定長パケットを順次読み出して、当該読み出された固定長パケットを前記デマルチプレクス手段に入力し、前記デマルチプレクス手段に、ＰＥＳパケットに格納されたＩピクチャ及びＰピクチャに対応するデータを分離させ、当該分離されたデータを前記デコード手段へ出力させる過程と、を有すること
を特徴とするデジタル信号記録再生方法。
【請求項９】
固定長パケットから、固定長パケットヘッダとＰＥＳパケットヘッダを除去し、ピクチャに対応するデータを分離するデマルチプレクス手段と、
前記分離されたデータをデコードするデコード手段と、
前記固定長パケット、及び、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブル、を記録する記録媒体と、
前記記録媒体から前記固定長パケットを読み出す読み出し部と、を備えるデジタル信号再生装置が行うデジタル信号再生方法であって、
前記読み出し部が、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させる過程と、
前記読み出し部が、特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させる過程と、を有すること
を特徴とするデジタル信号再生方法。
【請求項１０】
固定長パケットから、固定長パケットヘッダとＰＥＳパケットヘッダを除去し、ピクチャに対応するデータを分離するデマルチプレクス手段と、
前記分離されたデータをデコードするデコード手段と、
前記固定長パケット、並びに、ＰＥＳパケットに格納されたＩピクチャ及びＰピクチャのそれぞれの先頭部分を格納した各固定長パケットの記録位置情報と、当該ＰＥＳパケットに格納されたＩピクチャ及びＰピクチャのそれぞれの最後の部分を格納した各固定長パケットの記録位置情報とを含む管理テーブル、を記録する記録媒体と、
前記記録媒体から前記固定長パケットを読み出す読み出し部と、を備えるデジタル信号再生装置が行うデジタル信号再生方法であって、
前記読み出し部が、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させる過程と、
前記読み出し部が、特殊再生時には、前記管理テーブルを参照することで、前記記録媒体から、ＰＥＳパケットに格納されたＩピクチャを格納した固定長パケット及び前記ＰＥＳパケットに格納されたＰピクチャを格納した固定長パケットを順次読み出して、当該読み出された固定長パケットを前記デマルチプレクス手段に入力し、前記デマルチプレクス手段に、ＰＥＳパケットに格納されたＩピクチャ及びＰピクチャに対応するデータを分離させ、当該分離されたデータを前記デコード手段へ出力させる過程と、を有すること
を特徴とするデジタル信号再生方法。
【発明の詳細な説明】
【技術分野】
【０００１】
この発明は、デジタル符号化された映像データを記録媒体に記録または再生する装置および方法に関するものである。
【背景技術】
【０００２】
デジタル放送に用いられる画像圧縮方式は、高能率符号化方式の一つであるＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）を用いている。
【０００３】
また、画像圧縮したデジタル信号の伝送（データ伝送）は、多重方式として放送などのリアルタイム伝送に用いられるトランスポートストリーム方式を用いている。
【０００４】
受信機は、受信したトランスポートストリームから圧縮画像データを抽出した後、ビデオデコーダにおいて復号化処理を行う。この復号化処理によって得られた映像信号は、ディスプレイに動画として表示される。
【０００５】
従来の受信装置の一例として、特開２０００−２５３３５９号公報に記載されたデジタル放送記録再生装置がある。
【０００６】
この公報に記載された装置では、トランスポートストリームから画像および音声データを含んで構成されるＰＥＳ（Ｐａｃｋｅｔｉｚｅｄ  Ｅｌｅｍｅｎｔａｒｙ  Ｓｔｒｅａｍ）パケットストリームを取り出す手段を備えている。
【０００７】
トランスポートストリームから抽出されたＰＥＳパケットストリームは、ＰＥＳ形式を用いて記録媒体に記録され、映像信号の復元が行われる。また、同公報には、特殊再生を含めた再生方法が記述されている。
【先行技術文献】
【特許文献】
【０００８】
【特許文献１】特開２０００−２５３３５９号公報
【発明の概要】
【発明が解決しようとする課題】
【０００９】
一般の家庭等に用いられるデジタル放送受信機は、従来のＶＴＲ等に代表される映像信号を蓄積する機能を必要とする。
【００１０】
すなわち、デジタル放送受信機は、リアルタイムで伝送される映像を表示するだけでなく、タイムシフト視聴することが求められる。この場合の手法の一つは、ハードディスク装置や光ディスク装置等の記録媒体に番組データ（ディジタル映像信号）を蓄積し、この蓄積された番組データを再生に用いることである。また、タイムシフト視聴するデジタル放送受信機は、早送りなどの特殊再生を実現することも必要となる。
【００１１】
しかし、放送で伝送されるトランスポートストリームはそのパケット単位が映像のピクチャ単位とは無関係なため、ピクチャ単位で再生処理する早送り等の特殊再生については実現が難しいという問題があった。
【００１２】
また、デジタル放送受信機に用いられるデコーダは、実際的に、トランスポートストリーム形式で入力するものが多い。
【００１３】
また、さらに記録媒体とＩＥＥＥ１３９４インターフェースを備えた機器との送受信は、一般にＩＥＣ６１８８３によるトランスポートストリーム伝送方式に従った送受信の方法が用いられるため、記録媒体におけるデータフォーマットはトランスポートストリームをベースにしたものが適している。
【００１４】
本発明はこのような状況に鑑みてなされたものであり、その目的はトランスポートストリームをベースにした記録フォーマットでも容易に早送り等の特殊再生を可能とするデジタル放送記録再生装置を提供することである。
【課題を解決するための手段】
【００１５】
本発明に係るデジタル信号記録再生装置は、１フレーム分のピクチャを格納したＰＥＳパケットを複数に分割した固定長の固定長パケットを含むストリームを受信する受信手段と、前記受信されたストリームに含まれる固定長パケットから、固定長パケットヘッダとＰＥＳパケットヘッダを除去し、前記ピクチャに対応するデータを分離するデマルチプレクス手段と、前記分離されたデータをデコードするデコード手段と、記録媒体と、前記固定長パケットを、固定長パケット形式のまま前記記録媒体に記録させるとともに、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブルを前記記録媒体に記録させる記録手段と、前記記録媒体から前記固定長パケットを読み出す読み出し部と、を備え、前記読み出し部は、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させる。
【００１６】
本発明に係るデジタル信号再生装置は、固定長パケットから、固定長パケットヘッダとＰＥＳパケットヘッダを除去し、ピクチャに対応するデータを分離するデマルチプレクス手段と、前記分離されたデータをデコードするデコード手段と、前記固定長パケット、及び、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブル、を記録する記録媒体と、前記記録媒体から前記固定長パケットを読み出す読み出し部と、を備え、前記読み出し部は、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させる。
【発明の効果】
【００１７】
本発明に係るデジタル信号記録再生装置は、１フレーム分のピクチャを格納したＰＥＳパケットを複数に分割した固定長の固定長パケットを含むストリームを受信する受信手段と、前記受信されたストリームに含まれる固定長パケットから、固定長パケットヘッダとＰＥＳパケットヘッダを除去し、前記ピクチャに対応するデータを分離するデマルチプレクス手段と、前記分離されたデータをデコードするデコード手段と、記録媒体と、前記固定長パケットを、固定長パケット形式のまま前記記録媒体に記録させるとともに、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブルを前記記録媒体に記録させる記録手段と、前記記録媒体から前記固定長パケットを読み出す読み出し部と、を備え、前記読み出し部は、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させるので、特殊再生の実現が容易となる。
【００１８】
本発明に係るデジタル信号再生装置は、固定長パケットから、固定長パケットヘッダとＰＥＳパケットヘッダを除去し、ピクチャに対応するデータを分離するデマルチプレクス手段と、前記分離されたデータをデコードするデコード手段と、前記固定長パケット、及び、ＰＥＳパケットに格納されたＩピクチャの先頭部分を格納した固定長パケットの記録位置情報と、当該ＰＥＳパケットに格納されたＩピクチャの最後の部分を格納した固定長パケットの記録位置情報とを含む管理テーブル、を記録する記録媒体と、前記記録媒体から前記固定長パケットを読み出す読み出し部と、を備え、前記読み出し部は、通常再生時には、前記記録媒体から、ＰＥＳパケットに格納されたＩピクチャ、Ｐピクチャ及びＢピクチャを格納した固定長パケットを順次読み出して、当該読み出された固定長パケットを前記デマルチプレクス手段に入力し、前記デマルチプレクス手段に、ＰＥＳパケットに格納されたＩピクチャ、Ｐピクチャ及びＢピクチャに対応するデータを分離させ、当該分離されたデータを前記デコード手段へ出力させ、特殊再生時には、前記管理テーブルを参照することで、前記記録媒体から、ＰＥＳパケットに格納されたＩピクチャを格納した固定長パケットを順次読み出して、当該読み出された固定長パケットを前記デマルチプレクス手段に入力し、前記デマルチプレクス手段に、ＰＥＳパケットに格納されたＩピクチャに対応するデータを分離させ、当該分離されたデータを前記デコード手段へ出力させるので、特殊再生の実現が容易となる。
【図面の簡単な説明】
【００１９】
【図１】実施の形態１によるデジタル放送記録再生装置を示すブロック図。
【図２】ＭＰＥＧ２におけるトランスポートストリームの構成図。
【図３】ＭＰＥＧ２におけるトランスポートストリームヘッダの構造、及びＰＥＳヘッダの構造を示す図。
【図４】映像のエレメンタリーストリームの構造図。
【図５】ピクチャ種別付加付きトランスポートストリームの構造図。
【図６】ピクチャ種別解析を説明するためのフローチャート。
【図７】実施の形態２によるデジタル放送記録再生装置を示すブロック図。
【図８】実施の形態３によるデジタル放送記録再生装置を示すブロック図。
【図９】実施の形態３によるデジタル放送記録再生装置の再生速度制御部動作を示すフローチャート。
【図１０】実施の形態５および７によるデジタル放送記録再生装置を示すブロック図。
【図１１】実施の形態６および８によるデジタル放送記録再生装置を示すブロック図。
【図１２】Ｉピクチャ管理テーブルの構成図。
【図１３】ＩまたはＰピクチャ管理テーブルの構成図。
【発明を実施するための形態】
【００２０】
以下、本発明に係るデジタル記録再生装置について説明する。
【００２１】
実施の形態１．
以下に、本発明の実施の形態１に係るデジタル記録再生装置について、図を参照しながら説明する。
【００２２】
図１は、本実施の形態に係るデジタル記録再生装置のブロック図である。
図中、１１はチューナー、１２はＰＩＤフィルタ、１３はピクチャ種別解析・フラグ付加部、１４はデータ記録部、１５は記録媒体、１６はデータ読み出し部、１７はＩピクチャ抽出部、１８はトランスポートストリームデマルチプレクサ部、１９はオーディオ・ビデオデコーダ部である。
【００２３】
ここで、図１に基づいて、本実施の形態に係るデジタル記録再生装置の動作について説明する前に、ＭＰＥＧ２方式におけるトランスポートストリームについて簡単に説明する（図２参照のこと）。
【００２４】
図２は、ＭＰＥＧ２におけるトランスポートストリームの構成図である。
図中、２０はトランスポートストリーム、２１はトランスポートパケット、２２はトランスポートヘッダ（ＴＳヘッダ）、２３はペイロード、２４はＰＥＳパケットストリーム、２５はＰＥＳパケット、２６はＰＥＳヘッダ、２７はＰＥＳデータ領域、２８はエレメンタリーストリームである。
【００２５】
デジタル放送で用いられるトランスポートストリーム２０は、１８８バイトのトランスポートパケット２１より構成されている。また、それぞれのトランスポートパケット２１は、トランスポートヘッダ２２およびペイロード２３から構成される。
【００２６】
すなわち、トランスポートストリームは、デジタル映像ソース等の映像信号に対応する一連のトランスポートパケットにより構成されている。
【００２７】
トランスポートストリーム２０は、映像、音声をはじめとする複数のデータを多重して伝送することが可能である。また、このＴＳヘッダ２２内には、そのトランスポートパケット２１のペイロード２３を識別するためのＰＩＤ（Ｐａｃｋｅｔ  Ｉｄｅｎｔｉｆｉｃａｔｉｏｎ）の格納されるフィールドが設けられている。
【００２８】
ディジタル信号の再生は、まず、このフィールドに格納されたＰＩＤの内、同一のＰＩＤを持つペイロードを結合することによって所望のデータの抽出、およびこの抽出されたデータの再生を実現する。ここでは、同一のＰＩＤを持つペイロードを結合することにより、ＰＥＳパケット２５が得られる。
【００２９】
ＰＥＳパケットストリーム２４のそれぞれのＰＥＳパケット２５は、ＰＥＳヘッダ２６およびＰＥＳデータ領域２７から構成されている。なお、ＰＥＳパケット２５の長さは任意である。
【００３０】
それぞれのＰＥＳパケット２５におけるＰＥＳデータ領域２７が結合されることによって、再生される映像・音声信号に直接関係するエレメンタリーストリーム２８が構成される。
【００３１】
このエレメンタリーストリーム２８は、それぞれのＰＥＳパケット２５からＰＥＳヘッダ２６を取除き、それぞれのデータ領域２７を結合することによって得られる。
【００３２】
エレメンタリーストリーム２８は、例えば、ＭＰＥＧ２方式により高能率符号化された映像や音声データの正味のデータである。
【００３３】
ＴＳヘッダ２２をさらに詳細に示したのが図３である。図示するように、ＴＳヘッダ２２内には、ｐａｙｌｏａｄ＿ｕｎｉｔ＿ｓｔａｒｔ＿ｉｎｄｉｃａｔｏｒ３０の格納されるフィールドが存在する。
【００３４】
このフィールドに格納されたｐａｙｌｏａｄ＿ｕｎｉｔ＿ｓｔａｒｔ＿ｉｎｄｉｃａｔｏｒ３０が’１’の場合、このｐａｙｌｏａｄ＿ｕｎｉｔ＿ｓｔａｒｔ＿ｉｎｄｉｃａｔｏｒ３０が’１’であるペイロード２３が、ＰＥＳパケット２５の先頭となることを示している。
【００３５】
図４はＭＰＥＧ２におけるレイヤ構成を示す図である。図示するように、ＭＰＥＧ２におけるレイヤ構成は、上位のレイヤから、シーケンスレイヤ４０、ＧＯＰレイヤ４１、ピクチャレイヤ４２、スライスレイヤ４３、マクロブロックレイヤ４４の階層構造となっている。
【００３６】
すなわち、ＭＰＥＧ２に用いられるエレメンタリーストリーム２８は、図４に示した各レイヤの階層構造をなすデータストリームである。
【００３７】
図４を参照して、さらにＭＰＥＧ２の各レイヤについて説明する。図示するように、各レイヤは各々、そのレイヤのスタートコードを有する。
【００３８】
このうち、ピクチャレイヤのヘッダ４５には、ピクチャタイプを示すｐｉｃｔｕｒｅ＿ｃｏｄｉｎｇ＿ｔｙｐｅ４６の格納されるフィールドが存在する。
【００３９】
なお、ＭＰＥＧ２におけるシーケンスレイヤ、ＧＯＰレイヤはＩピクチャから始まる。
【００４０】
ＭＰＥＧ２における画像（動画像）は、Ｉ（Ｉｎｔｒａ−Ｐｉｃｔｕｒｅ。フレーム内符号化画像）、Ｐ（Ｐｒｅｄｉｃｔｉｖｅ−Ｐｉｃｔｕｒｅ。フレーム間順方向予測符号化画像）およびＢ（Ｂｉｄｉｒｅｃｔｉｏｎａｌｌｙ  ｐｒｅｄｉｃｔｉｖｅ−Ｐｉｃｔｕｒｅ。双方向予測符号化画像）の３種類のピクチャによって構成されている。
【００４１】
このうち、それのみが有するデータで復号できるピクチャは、Ｉピクチャのみである。従って、Ｉピクチャの復号は、他のＰまたはＢピクチャなしで行うことができる。なお、Ｐピクチャ、Ｂピクチャの再生は、Ｉピクチャあるいは他のＰピクチャを必要とする。
【００４２】
ランダムアクセスのように、画像の動き予測の前後関係の崩れるような再生動作は、Ｉピクチャにアクセスし、これを再生することにより実現する。従って、早送り等の特殊再生を行う場合には、ランダムアクセスが発生するので、必ずＩピクチャへのアクセスが行われる。
【００４３】
以下、先に述べたトランスポートストリームを利用するデジタル放送に用いられるデジタル記録再生装置について主に図１を参照しながら説明する。
【００４４】
受信したトランスポートストリーム２０から映像信号の再生を行う場合、チューナー１１で受信されたトランスポートストリーム２０はトランスポートストリームデマルチプレクサ１８へ送られる。
【００４５】
トランスポートストリームデマルチプレクサ１８は、チューナー１１より送られてきたトランスポートストリーム２０を解析し、この解析結果に応じてトランスポートストリーム２０から番組情報、画像音声圧縮データを分離する。
【００４６】
前記画像音声圧縮データは、オーディオ・ビデオデコーダ１９に入力されて復号動作が行われ、映像および音声が再生される。
【００４７】
また、受信したトランスポートストリーム２０を、記録手段としての記憶媒体１５に記録する場合、チューナー１１で受信されたトランスポートストリーム２０は、まず、ＰＩＤフィルタ部１２に出力される。
【００４８】
ＰＩＤフィルタ部１２は、記録媒体１５に入力されたトランスポートストリーム２０から、該トランスポートストリーム２０にあるトランスポートパケット２１に含まれるＰＩＤに基づいてトランスポートパケット２１を抽出する。ここで抽出されたトランスポートパケット２１はピクチャ種別解析・フラグ付加部１３へ出力される。なお、ピクチャ種別（Ｉピクチャ、Ｐピクチャ、Ｂピクチャ）を映像信号の種別と表す場合もある。
【００４９】
ピクチャ種別解析・フラグ付加部１３は、入力された各トランスポートパケット２０毎のペイロード２３にＩピクチャが存在するかどうかを解析する。すなわち、ピクチャ種別解析・フラグ付加部１３は、トランスポートパケット２１に対応して映像信号の種別を解析する種別解析手段である。従って、この場合、ピクチャ種別解析・フラグ付加部１３が映像信号の種別に対応する情報を生成する情報生成手段である。
【００５０】
この解析は、例えば、ピクチャレイヤ４２にあるＰＣＴ（ピクチャコーディングタイプ。Ｐｉｃｔｕｒｅ＿Ｃｏｄｉｎｇ＿Ｔｙｐｅ）のビット情報に基づいて行う。
【００５１】
図５はトランスポートパケット２１の詳細を示した図である。
上記したピクチャ種別解析・フラグ付加部１３における解析結果は、図５に示すように、例えばトランスポートパケット２１の同期バイト５１の直後に１バイトのピクチャ種別フラグ５２として付加される（図６のステップＳ１１）。すなわち、ピクチャ種別フラグ５２は種別情報である。
【００５２】
図６は、ピクチャ種別解析をするフローチャートを示すものである。
まず、ＰＩＤフィルタ１２は、トランスポートストリーム２０の同期バイト（図３のｓｙｎｃ＿ｂｙｔｅ）を検出する。
【００５３】
その後、トランスポートヘッダ２２内にあるＰＩＤが指定の映像データ用のＰＩＤかどうかを判断し（ステップＳ１２）、指定の映像データ用のパケットであった場合には、さらにｐａｙｌｏａｄ＿ｕｎｉｔ＿ｓｔａｒｔ＿ｉｎｄｉｃａｔｏｒ３０の値を解析する（ステップＳ１３）。
【００５４】
ｐａｙｌｏａｄ＿ｕｎｉｔ＿ｓｔａｒｔ＿ｉｎｄｉｃａｔｏｒ３０の値が’１’であれば、先に述べたように、トランスポートパケット２１のペイロード２３がＰＥＳパケット２５の先頭から始まることを示している。
【００５５】
また、ディジタル放送の場合、ＰＥＳパケット２５は、必ずピクチャ単位となっている。従って、ｐａｙｌｏａｄ＿ｕｎｉｔ＿ｓｔａｒｔ＿ｉｎｄｉｃａｔｏｒ３０の値が’１’であれば、ＰＥＳヘッダ２６につづくＰＥＳデータ領域２７には、エレメンタリーストリーム２８のシーケンスヘッダ（シーケンスレイヤ４０に含まれるあるシーケンスのヘッダ）、ＧＯＰヘッダ（ＧＯＰレイヤ４１に含まれるあるＧＯＰのヘッダ）またはピクチャヘッダ（ピクチャレイヤ４２に含まれるあるピクチャのヘッダ）のいずれかが続いている（ステップＳ１３）。
【００５６】
さらに、ＰＥＳヘッダ２６の解析時に、ＰＩＤフィルタ１２は、ＰＥＳ＿ｐａｃｋｅｔ＿ｌｅｎｇｔｈ３１を取得する（ステップＳ１４）。このＰＥＳ＿ｐａｃｋｅｔ＿ｌｅｎｇｔｈ３１は１ピクチャの終了位置の検出に使用する。
【００５７】
次に、ＰＥＳデータ領域２７の先頭にあるコードが、ＳＨＣ（シーケンスヘッダコード。Ｓｅｑｕｅｎｃｅ  Ｈｅａｄｅｒ  Ｃｏｄｅ）、ＧＳＣ（グループスタートコード。Ｇｒｏｕｐ  Ｓｔａｒｔ  Ｃｏｄｅ）またはＰＳＣ（ピクチャスタートコード。Ｐｉｃｔｕｒｅ  Ｓｔａｒｔ  Ｃｏｄｅ）のいずれであるかを解析する（ステップＳ１５）。これらのコードはそれぞれシーケンス、ＧＯＰまたはピクチャの始まりを示すものである（総称してスタートコードと称する）。
【００５８】
ＰＥＳデータ領域２７の先頭が上記いずれかのスタートコードである場合、さらにピクチャヘッダ４５にあるｐｉｃｔｕｒｅ＿ｃｏｄｉｎｇ＿ｔｙｐｅ４６のビット情報（３ビットにより構成されている）が解析される（ステップＳ１６）。
【００５９】
このビット情報がＩピクチャを示す場合に、ピクチャ種別フラグ５２は’１’としてＴＳヘッダ２２に付加される。それと共に、ピクチャ種別フラグ５２をＴＳヘッダ２２に付加する処理が行われている状態を示すフラグ付加処理状態フラグがピクチャ種別解析・フラグ付加部１３内部にセットされる（ステップＳ１７、Ｓ１８）。
【００６０】
このフラグ付加処理状態フラグは、１つのＩピクチャの受信処理が終了するまで更新されない。従って、この場合、ピクチャ種別解析・フラグ付加部１３が映像信号の種別に対応する情報を生成する情報生成手段である。
【００６１】
従って、フラグ付加処理状態フラグは、広い意味での、映像種別を表わす種別情報である（前記したピクチャ種別フラグ５２、またはフラグ付加処理状態フラグを、映像種別を表わす種別情報と定義する）。
【００６２】
次に、ピクチャ種別解析・フラグ付加部１３内部に設けられた、受信したＰＥＳデータの数をカウントするＰＥＳデータカウンタの値が更新される（ステップＳ１９）。この場合のピクチャ種別解析の処理はトランスポートパケット単位で行われる。従って、ＰＥＳデータカウンタは１８８バイトをインクリメント（カウント値の増分）の単位とする。
【００６３】
なお、上記ステップＳ１５またはＳ１６において、判断の結果がｎｏである場合（ＰＥＳの先頭がスタートコードでない、あるいはｐｉｃｔｕｒｅ＿ｃｏｄｉｎｇ＿ｔｙｐｅ４６が指定のピクチャタイプでない）、ピクチャ種別フラグ５２は’０’としてＴＳヘッダ２２に付加される（ステップＳ３４）。
【００６４】
もし、ＰＩＤの値が指定の映像データ用のＰＩＤであるが、ｐａｙｌｏａｄ＿ｕｎｉｔ＿ｓｔａｒｔ＿ｉｎｄｉｃａｔｏｒ３０の値が’１’でない場合（ステップＳ１３のｎｏの場合）、そのトランスポートパケット２１のペイロード２３は、ＰＥＳパケット２５の先頭ではない。
【００６５】
従って、この場合、前記のようにピクチャタイプが検出できない。そこで、フラグ付加処理状態フラグが、どの状態にあるかによってＩピクチャの受信処理が進行中（Ｉピクチャ処理状態と称す）であるかどうかを判別する（ステップＳ３０）。
【００６６】
フラグ付加処理状態フラグがＩピクチャ処理状態を示す’１’であれば、ＰＥＳデータカウンタのカウント値がインクリメント（増分１８８バイト）される（ステップＳ３１）。
【００６７】
次に、ピクチャ種別解析・フラグ付加部１３内においては、ＰＥＳデータカウンタのカウント値とＰＥＳ＿ｐａｃｋｅｔ＿ｌｅｎｇｔｈ３１の値とが大小比較される（ステップＳ３２）。
【００６８】
ＰＥＳデータカウンタのカウント値がＰＥＳ＿ｐａｃｋｅｔ＿ｌｅｎｇｔｈ３１の値に等しくない場合、まだＩピクチャデータの受信が終了していないと判断する。
【００６９】
従って、その場合、そのトランスポートパケット２１にはＩピクチャが格納されているので、ピクチャ種別フラグとして’１’がトランスポートヘッダに付加される（ステップＳ３３）。
【００７０】
Ｉピクチャを格納した最後のトランスポートパケットを受信した場合、ＰＥＳデータカウンタとＰＥＳ＿ｐａｃｋｅｔ＿ｌｅｎｇｔｈ３１の値は等しくなる。
【００７１】
この場合、フラグ付加処理状態フラグをクリアし（フラグを’０’とする。ステップＳ３４）、Ｉピクチャ受信処理が終了したことを示す。
【００７２】
但し、その時点におけるトランスポートパケット２１には、Ｉピクチャ受信処理における最後のＩピクチャが格納されているので、ピクチャ種別フラグとして’１’がトランスポートヘッダ２２に付加される。
【００７３】
受信したトランスポートパケット２１にＩピクチャが格納されていない場合、ピクチャヘッダ４５にあるｐｉｃｔｕｒｅ＿ｃｏｄｉｎｇ＿ｔｙｐｅ４６のビット情報（３ビットにより構成されている）はＩピクチャでないことを示す情報となっている。
【００７４】
この場合、トランスポートヘッダ２２にはＩピクチャでないことを示すためにピクチャ種別フラグとして’０’がトランスポートヘッダ２２に付加される（ステップＳ３５）。
【００７５】
このようにピクチャ種別フラグが付加されたトランスポートパケット２１は、データ記録部１４へ送られ、記憶媒体１５に記録される。
【００７６】
記憶媒体１５に記録されているデータの再生について説明する。
記憶媒体１５に記録されているデータは、データ読み出し部１６によりトランスポートパケット単位で読み出される。
【００７７】
読み出されたデータは、Ｉピクチャ抽出部１７に送られる。なお、データ読み出しは、トランスポートストリームデマルチプレクサ１８内に設けられたバッファのフロー制御に基づいて行われる。
【００７８】
早送り再生の際、Ｉピクチャ抽出部１７は、読み出されたデータのトランスポートパケット２１に付加されたピクチャ種別フラグを解析する。その結果、ピクチャ種別フラグが’１’であるトランスポートパケットのみがトランスポートデマルチプレクサ１８に転送される。従って、ここでは、Ｉピクチャのみのトランスポートパケット２１がトランスポートストリームデマルチプレクサ１８に転送される。
【００７９】
この転送の際、付加されていたピクチャ種別フラグは除去され、残りの１８８バイトのトランスポートパケット２１がトランスポートストリームデマルチプレクサ１８に転送される。転送されたトランスポートパケット２１は、トランスポートストリームデマルチプレクサ１８において再生される映像、音声に対応するデータに分離され、オーディオ・ビデオデコーダ１９に送られる。オーディオ・ビデオデコーダ１９は映像、音声に対応して分離されたデータに基づき、復調処理（デコード処理）を行うことによって映像、音声の再生が行われる。
【００８０】
本実施の形態に係るデジタル記録再生装置は、以上のように構成され、動作するので、結果的に、Ｉピクチャだけがデコード処理されることとなる。従って、本実施の形態に係るデジタル記録再生装置は、早送り再生等の特殊再生を実現するのに有用なものとなる。
【００８１】
ところで、デコーダにてＩピクチャのみを選択し再生する場合は、オーディオ・ビデオデコーダ１９、またはトランスポートストリームデマルチプレクサ１８における、最大の入力ビットレートにより早送り再生の速度が律速される。
【００８２】
実際的に、現状のトランスポートストリームデマルチプレクサ１８またはオーディオ・ビデオデコーダ１９の入力ビットレートは、数十Ｍｂｐｓ程度である。従って、このような入力ビットレートの条件下において、ＨＤ（Ｈｉｇｈ  Ｄｅｆｉｎｉｓｉｏｎ）ストリームの早送り再生を実現する場合、２〜３倍速程度の早送り再生の実現が精精である。
【００８３】
本実施の形態に係るデジタル記録再生装置は、早送り再生の機能をＩピクチャのみを選択的に再生するように構成することで実現している。
【００８４】
従って、本装置を用いれば、トランスポートストリームデマルチプレクサ１８の前段においてＩピクチャ以外の不要なデータの再生を行わないように構成したので、より早い速度による早送り再生が可能である。
【００８５】
また、本実施の形態に係るデジタル記録再生装置は、早送り再生時にエレメンタリーストリーム２８のピクチャレイヤ４２を解析しＩピクチャのみをトランスポートストリームデマルチプレクサ１８に出力する方法と比べると、最上位のレイヤのトランスポートストリーム２０を構成するトランスポートパケット２１のＴＳヘッダ２２にピクチャタイプを示すピクチャ種別フラグが配置するので、Ｉピクチャの抽出処理を比較的短時間で行うことができる。これにより、早送り指示から画像の表示までの時間の短縮が図れる。
【００８６】
実施の形態２．
次に、本発明の実施の形態２に係るデジタル記録再生装置について説明する。
図７は実施の形態２に係るデジタル記録再生装置を示すブロック図である。
【００８７】
図中、７１はチューナー、７２はＰＩＤフィルタ、７３はピクチャ種別解析・フラグ付加部、７４はデータ記録部、７５は記録媒体、７６はデータ読み出し部、７７はＩ，Ｐピクチャ抽出部（ＩＰ抽出部７７と称す）、７８はトランスポートストリームデマルチプレクサ部、７９はオーディオ・ビデオデコーダ部である。
【００８８】
図７に示した実施の形態２に係るデジタル記録再生装置は、実施の形態１の構成に殆ど同じ構成および動作を有するが、ピクチャ種別解析・フラグ付加部７３およびＩＰ抽出部７７の構成および動作が異なる。
【００８９】
以下、ピクチャ種別解析・フラグ付加部７３およびＩＰ抽出部７７の動作について、実施の形態１と異なる部分を説明する（それ以外は、実施の形態１と同様）。
【００９０】
すなわち、実施の形態１のピクチャ種別解析・フラグ付加部１３における動作は、トランスポートストリーム２０に含まれるＩピクチャに対応して、ピクチャ種別フラグ’１’をトランスポートヘッダ２２に付加した。
【００９１】
実施の形態２では、トランスポートストリーム２０に、ＩまたはＰピクチャが含まれている場合、ピクチャ種別解析・フラグ付加部７３が、ピクチャ種別フラグを’１’としてトランスポートヘッダ２２に付加する。
【００９２】
そして、トランスポートヘッダ２２のピクチャ種別フラグの’１’であるトランスポートストリーム２０が、データ記憶部７４を介して、記録手段としての記憶媒体７５に記憶される。
【００９３】
記憶媒体７５に記録されているデータの再生について説明する。
記憶媒体７５に記録されているデータは、データ読み出し部７６によりトランスポートパケット単位で読み出される。
【００９４】
読み出されたデータは、ＩＰピクチャ抽出部７７に送られる。なお、データ読み出しは、トランスポートストリームデマルチプレクサ７８内に設けられたバッファのフロー制御に基づいて行われる。
【００９５】
早送り再生の際、ＩＰピクチャ抽出部７７は、読み出されたデータのトランスポートパケット２１に付加されたフラグ付加処理状態フラグを解析する。その結果、フラグ付加処理状態フラグが’１’であるトランスポートパケット２１のみがトランスポートストリームデマルチプレクサ７８に転送される。従って、ここでは、ＩピクチャおよびＰピクチャのトランスポートパケット２１がトランスポートストリームデマルチプレクサ７８に転送される。
【００９６】
この転送の際、付加されていたピクチャ種別フラグは除去され、残りの１８８バイトのトランスポートパケット２１がトランスポートストリームデマルチプレクサ７８に転送される。転送されたトランスポートパケット２１は、トランスポートストリームデマルチプレクサ７８において再生される映像、音声に対応するデータに分離され、オーディオ・ビデオデコーダ７９に送られる。オーディオ・ビデオデコーダ７９は映像、音声に対応して分離されたデータに基づき、復調処理（デコード処理）を行うことによって映像、音声の再生が行われる。
【００９７】
本実施の形態に係るデジタル記録再生装置は、以上のように構成され、動作するので、結果的に、ＩピクチャおよびＰピクチャだけがデコード処理されることとなる。従って、本実施の形態に係るデジタル記録再生装置は、早送り再生等の特殊再生を実現するのに有用なものとなる。
【００９８】
この実施の形態２のような構成を採用することにより、アクセスするピクチャのスキップ間隔が短くなり、これにより、よりなめらかな早送り再生が実現できる。
【００９９】
実施の形態３．
次に、本発明の実施の形態３に係るデジタル記録再生装置について説明する。
図８は、本発明の実施の形態３に係るデジタル記録再生装置を示すブロック図である。
【０１００】
図中、８０は再生速度制御部、８１はチューナー、８２はＰＩＤフィルタ、８３はピクチャ種別解析・フラグ付加部、８４はデータ記録部、８５は記録媒体、８６はデータ読み出し部、８７はＩピクチャまたはＩ，Ｐピクチャ抽出部（Ｉ−ＩＰ抽出部８７と称す）、８８はトランスポートストリームデマルチプレクサ部、８９はオーディオ・ビデオデコーダ部である。
【０１０１】
図８に示した実施の形態３に係るデジタル記録再生装置は、実施の形態１または実施の形態２の構成に殆ど同じ構成および動作を有するが、再生速度制御部８０、ピクチャ種別解析・フラグ付加部８３およびＩ−ＩＰ抽出部８７の構成および動作が異なる。
【０１０２】
以下、再生速度制御部８０、ピクチャ種別解析・フラグ付加部８３およびＩ−ＩＰ抽出部８７の動作について、実施の形態１または実施の形態２と異なる部分を説明する（それ以外は、実施の形態１または実施の形態２と同様）。
【０１０３】
記録媒体８５へのトランスポートストリーム２０の記録は、実施の形態２と同様の動作により行われる。
【０１０４】
記録手段としての記憶媒体８５に記録されているデータの再生について説明する。
【０１０５】
記憶媒体８５に記録されているデータは、データ読み出し部８６によりトランスポートパケット単位で読み出される。
【０１０６】
読み出されたデータは、Ｉ−ＩＰ抽出部８７に送られる。なお、データ読み出しは、トランスポートストリームデマルチプレクサ８８内に設けられたバッファのフロー制御に基づいて行われる。
【０１０７】
記録媒体７５からトランスポートストリーム２０を読み出すに際し、Ｉ−ＩＰピクチャ抽出部８７は、読み出されたデータのトランスポートパケット２１に付加されたピクチャ種別フラグを解析する。
【０１０８】
再生速度制御部８０は、図８に示すように、Ｉ−ＩＰ抽出部８７に接続されている。そして、再生速度制御部８０は、Ｉ−ＩＰ抽出部８７からＩピクチャのみ、またはＩおよびＰピクチャに対応するピクチャ種別フラグの’１’に対応する通知信号をＩ−ＩＰ抽出部８７から受信する。
【０１０９】
Ｉ−ＩＰピクチャ抽出部８７は、読み出されたデータのトランスポートパケット２１に付加されたピクチャ種別フラグを解析する。その結果、ピクチャ種別フラグが’１’であるトランスポートパケット２１のみがトランスポートストリームデマルチプレクサ７８に転送される。従って、ここでは、ＩピクチャおよびＰピクチャのトランスポートパケット２１がトランスポートストリームデマルチプレクサ７８に転送される。
【０１１０】
図９は、再生速度制御部８０の動作に関するフローチャートである。
再生速度制御部８０は、Ｉ−ＩＰ抽出部８７から出力される通知信号を受信する（ステップＳ２１）。
【０１１１】
そして、再生速度制御部８０は、Ｉ−ＩＰ抽出部８７から出力される通知信号の受信回数Ｎをカウントする（ステップＳ２２）。すなわち、ここでは、再生速度制御部８０は、映像信号の種別に対応する情報の出現回数を計数する計数手段として機能する。
【０１１２】
この受信回数Ｎは、所定の再生速度制御パラメータ値Ｍと比較される（ステップＳ２３）。そして、受信回数Ｎが再生速度制御パラメータ値Ｍと一致した時点で、Ｉ−ＩＰ抽出部８７に出力許可信号を出力する（ステップＳ２４）。
【０１１３】
この出力許可信号は、受信回数Ｎが再生速度制御パラメータ値Ｍと一致した時点におけるＩピクチャまたはＰピクチャのトランスポートストリームデマルチプレクサ７８への転送を許可する信号である。
【０１１４】
すなわち、ここでは、再生速度制御パラメータ値Ｍは、再生速度に応じて設定され、再生速度制御部８０は計数される映像信号の種別に対応する情報の出現回数と再生速度制御パラメータとを比較する比較手段として機能する。
【０１１５】
受信回数Ｎが再生速度制御パラメータ値Ｍと一致しない場合、出力許可信号は出力されない（この場合は、削除指示信号を出力する。ステップＳ２５）。そして、Ｉ−ＩＰ抽出部８７は出力許可信号を受信すると、１ピクチャ分の映像データを後段のトランスポートストリームデマルチプレクサ８８に転送する（ステップＳ２６）。その後、受信回数Ｎを初期化（Ｎ＝０）する（ステップＳ２７）。
【０１１６】
なお、出力許可信号を受信後、トランスポートヘッダに付加されたピクチャ種別フラグが’１’から’０’に変化するまでの間、再生を行う映像データを、後段のトランスポートストリームデマルチプレクサ８８に転送する。
【０１１７】
この転送の際、付加されていたピクチャ種別フラグは除去される。そして、残りの１８８バイトのトランスポートパケット２１がトランスポートストリームデマルチプレクサ８８に転送される。
【０１１８】
転送されたトランスポートパケット２１は、トランスポートストリームデマルチプレクサ８８において再生される映像、音声に対応するデータに分離され、オーディオ・ビデオデコーダ８９に送られる。
【０１１９】
オーディオ・ビデオデコーダ８９は映像、音声に対応して分離されたデータに基づき、復号処理（デコード処理）を行うことによって映像、音声の再生が行われる。
【０１２０】
再生速度制御部８０から削除指示信号が出力されるか、またはトランスポートヘッダ２２に付加されたピクチャ種別フラグが’０’である場合は、Ｉ−ＩＰ抽出部８７は記録媒体８５より読み出されたデータを後段のトランスポートストリームデマルチプレクサ８８に転送せず削除する。
【０１２１】
これにより、再生速度制御部８０から指定されたＩピクチャまたはＰピクチャだけが後段のトランスポートストリームデマルチプレクサ８８に転送される。
【０１２２】
このように構成することにより、実施の形態３に係るデジタル記録再生装置を用いれば、記録媒体から読み出したデータのうち、Ｉピクチャを指定回数に１回だけ後段のトランスポートストリームデマルチプレクサ８８に転送することになり（すなわち、再生速度制御部８０の比較機能により得られる比較結果に応じて再生する映像信号が決定される）、任意倍速の早送り再生が可能となる。
【０１２３】
実施の形態４．
次に、本発明の実施の形態４に係るデジタル記録再生装置について説明する。
図８は、実施の形態４に係るデジタル記録再生装置を示しており、実施の形態３と同じ構成である。しかしながら、再生速度制御部８０における再生動作の制御が実施の形態３とは異なる。
【０１２４】
実施の形態４におけるデジタル記録再生装置において、再生速度制御部８０が、実施の形態１に示すＩピクチャのみの表示方法をとるか、実施の形態２のＩまたはＰピクチャの表示方法をとるか、実施の形態３のＩピクチャまたはＰピクチャの間欠的な表示方法をとるかを、ユーザからの早送り指示（外部より与えられる再生速度情報）に基づいて適応的に制御するように構成したものである。
【０１２５】
この実施の形態４の特徴は、トランスポートストリーム２０にＩまたはＰピクチャが含まれている場合、ピクチャ種別解析・フラグ付加部８３が、そのピクチャタイプに応じて、例えばＩピクチャならばピクチャ種別フラグを’１’に、Ｂピクチャならばピクチャ種別フラグを‘２’に、それ以外のピクチャならばピクチャ種別フラグを‘０’としてトランスポートヘッダ２２に付加する。
【０１２６】
実施の形態４は、ユーザからの指示に基づく制御と上記各ピクチャに対応して与えられるフラグ付加処理状態フラグとの関係を持たせたものである。
【０１２７】
再生速度制御部８０は、例えば、ユーザからリモコンの早送りボタンを押している状態の時間の長さに基づいて、ユーザの要求している早送り速度を検出する。
【０１２８】
例えば、ユーザがリモコンの早送りボタンを押している時間を、短、中、長の３段階に分け、これを検出する。
【０１２９】
ユーザがリモコンの早送りボタンを押している状態の時間の長さが、上記３段階の内で短の段階にある場合、低速の早送り指示と判断する。そして、このときには実施の形態２に説明した、ＩまたはＰピクチャの再生を行う。
【０１３０】
また、ユーザがリモコンの早送りボタンを押している時間の長さが、上記３段階の内で中の段階にある場合、中速の早送り指示と判断する。そして、このときには実施の形態１に説明した、Ｉピクチャのみの再生を行う。
【０１３１】
また、ユーザがリモコンの早送りボタンを押している時間の長さが、上記３段階の内で長の段階にある場合、高速の早送り指示と判断する。そして、このときには実施の形態３に説明した、間欠的なＩピクチャの再生を行う。
【０１３２】
このように構成することにより、ユーザからの要求に応じた、可変速再生が可能となる。
【０１３３】
実施の形態５．
次に、本発明の実施の形態５に係るデジタル記録再生装置について説明する。
図１０は、実施の形態５に係るデジタル放送記録再生装置のブロック図である。
【０１３４】
図中、１０１はチューナ、１０２はＰＩＤフィルタ、１０３はピクチャ種別解析部、１０４はデータ記録・管理テーブル作成部、１０５は記録媒体、１０６はデータ読み出し部、１０７はトランスポートストリームデマルチプレクサ、１０８はオーディオ・ビデオデコーダである。
【０１３５】
受信したデジタル放送を受信し、受信した放送内容をそのまま再生する場合、チューナ１０１で受信されたトランスポートストリーム２０はトランスポートストリームデマルチプレクサ１０７へ送られる。
【０１３６】
トランスポートストリームデマルチプレクサ１０７は、チューナー１０１より送られてきたトランスポートストリーム２０を解析し、番組情報と画像音声圧縮データとに分離する。
【０１３７】
分離された画像音声圧縮データは、オーディオ・ビデオデコーダ１０８に入力され、デコードされた後、再生される。
【０１３８】
また、受信したデジタル放送を記録する場合、チューナー１０１に受信されたトランスポートストリーム２０は、ＰＩＤフィルタ１０２に送られる。そして、このＰＩＤフィルタ１０２において記録媒体１０５に記録すべきデータが抽出され、ピクチャ種別解析部１０３へ送られる。
【０１３９】
ピクチャ種別解析部１０３は、ペイロード２３が映像データのＩピクチャが存在するか否かを、各トランスポートパケット２１毎に解析する。
【０１４０】
この場合の解析は、実施の形態１に説明したピクチャ種別の解析方法と同様に行われる。すなわち、この場合、ピクチャヘッダ４５内のｐｉｃｔｕｒｅ＿ｃｏｄｉｎｇ＿ｔｙｐｅ４６を解析することが行われる。
【０１４１】
実施の形態１に説明したピクチャ種別の解析方法によってＩピクチャを検出すると、ピクチャ種別解析部１０３は、データ記録・管理テーブル作成部１０４に映像データ及びＩピクチャ検出信号を送る。
【０１４２】
このピクチャ種別解析部１０３から出力されるＩピクチャ検出信号は、ピクチャ種別解析部１０３がＩピクチャの終了を検出するまで出力される。
【０１４３】
データ記録・管理テーブル作成部１０４は、受信した映像データを記録媒体１０５に出力し、当該映像データが記録媒体１０５に記録される。
【０１４４】
Ｉピクチャ検出信号を受信した場合、検出したＩピクチャに対応するトランスポートパケット２１を記録媒体１０５に記録する際のアドレス情報が、記録媒体１０５のテーブル管理領域に記録される。
【０１４５】
記録媒体１０５のテーブル管理領域に記録されるアドレス情報は、テーブル管理領域を小さくするために、例えば図１２に示すように、Ｉピクチャのスタートアドレス１２１（図中、Ｉピクチャ記録スタートアドレス。以下、スタートアドレスと称す）とエンドアドレス１２２（図中、Ｉピクチャ記録エンドアドレス。以下、エンドアドレスと称す）のみを記録する。
【０１４６】
また、次のＩピクチャのアドレス情報を示す管理テーブルを記録したアドレス１２３（図中、次のＩピクチャ管理テーブルアドレス）も記録する。
【０１４７】
なお、上記スタートアドレス１２１、エンドアドレス１２２および次のＩピクチャ管理テーブルアドレス１２３を少なくとも含む情報の構成を、ここでは管理テーブルと称す。また、この管理テーブルには、全Ｉピクチャの記録位置に関するアドレスが記録される。
【０１４８】
通常再生の場合、記録手段としての記憶媒体１０５に記録されているデータ（記録データ）は、データ読み出し部１０６によりトランスポートパケット単位で取り出される。
【０１４９】
早送り等の特殊再生を行う際、データ読み出し部１０６は、特殊再生の制御が開始される時点における、それまでアクセスしていたアドレスに最も近く、且つ大きいアドレスの値を有するアドレスを検出する。
【０１５０】
このようなアドレスは、記録媒体１０５上の管理テーブル領域のスタートアドレス１２１の中から検出される。
【０１５１】
記録媒体１０５上のデータ記録領域において、スタートアドレス１２１からエンドアドレス１２２までは、Ｉピクチャが記録されている。
【０１５２】
従って、Ｉピクチャの再生においては、データ読み出し部１０６によって、記録媒体１０５の読みだしアドレス（アクセスしているアドレス）がエンドアドレス１２２に等しくなるまで、記録媒体からの記録データの読み出しが行われる。
【０１５３】
この読み出された記録データは、後段のトランスポートストリームデマルチプレクサ１０７に転送される。
【０１５４】
データ読み出し部１０６による記録データの読み出し動作において、読み出しアドレスがエンドアドレス１２２に等しくなった場合、データ読み出し部１０６は、次のＩピクチャ管理テーブルアドレス１２３を参照する。
【０１５５】
続いて、ここで参照した、次のＩピクチャ管理テーブルアドレス１２３へのアクセスがデータ読み出し部１０６によって行われる。そして、データ読み出し部１０６は、アクセスした次のＩピクチャ管理テーブルに格納された、次のＩピクチャのスタートアドレス１２１を得る。
【０１５６】
上述した、データ読み出し部１０６によるスタートアドレス１２１からエンドアドレス１２２までの読み出し動作が、Ｉピクチャ毎に繰り返し行われる。なお、次のＩピクチャは、後段のトランスポートストリームデマルチプレクサ１０７に転送される。
【０１５７】
このデジタル記録再生装置は、以上のように構成され、全Ｉピクチャの記録位置を管理するための管理テーブル（または、アドレス）を有しているため、全Ｉピクチャの記録位置を管理するための管理テーブル（または、アドレス）を有しない場合と比べ、きめ細かい早送り再生が実現できる。
【０１５８】
また、記録媒体１０５に記録する映像ストリームを暗号化する場合、本実施の形態５における管理テーブルを用いることにより、Ｉピクチャの位置を特定することができるため、暗号化記録時に管理テーブルを使用しない場合に比べアクセス性がよい。
【０１５９】
実施の形態６．
次に、本発明の実施の形態６に係るデジタル記録再生装置について説明する。
図１１は、実施の形態６に係るデジタル記録再生装置のブロック図である。
【０１６０】
図中、１１１はチューナ、１１２はＰＩＤフィルタ、１１３はピクチャ種別解析部、１１４はデータ記録・管理テーブル作成部、１１５はフラッシュメモリ等の管理テーブル記録媒体、１１６は記録媒体、１１７はデータ読み出し部、１１８はトランスポートストリームデマルチプレクサ、１１９はオーディオ・ビデオデコーダである。
【０１６１】
受信したデジタル放送を受信し、受信した放送内容をそのまま再生する場合、チューナ１１１で受信されたトランスポートストリーム２０はトランスポートストリームデマルチプレクサ１１８へ送られる。
【０１６２】
トランスポートストリームデマルチプレクサ１１８は、チューナー１１１より送られてきたトランスポートストリーム２０を解析し、番組情報と画像音声圧縮データに分離する。
【０１６３】
分離された画像音声圧縮データは、オーディオ・ビデオデコーダ１１９に入力され、デコードされた後、再生される。
【０１６４】
また、受信したデジタル放送を記録する場合、チューナー１１１に受信されたトランスポートストリーム２０は、ＰＩＤフィルタ１１２に送られる。そして、このＰＩＤフィルタ１１２において記録媒体１１６に記録すべきデータが抽出され、ピクチャ種別解析部１１３へ送られる。
【０１６５】
ピクチャ種別解析部１１３は、ペイロード２３が映像データのＩピクチャが存在するか否かを、各トランスポートパケット２１毎に解析する。
【０１６６】
この場合の解析は、実施の形態１に説明したピクチャ種別の解析方法と同様に行われる。すなわち、この場合、ピクチャヘッダ４５内のｐｉｃｔｕｒｅ＿ｃｏｄｉｎｇ＿ｔｙｐｅ４６を解析することが行われる。
【０１６７】
実施の形態１に説明したピクチャ種別の解析方法によってＩピクチャを検出すると、ピクチャ種別解析部１１３は、データ記録・管理テーブル作成部１１４に映像データ及びＩピクチャ検出信号を送る。
【０１６８】
このピクチャ種別解析部１０３から出力されるＩピクチャ検出信号は、ピクチャ種別解析部１０３がＩピクチャの終了を検出するまで出力される。
【０１６９】
データ記録・管理テーブル作成部１１４は、受信した映像データを記録媒体１１６に出力し、当該映像データが記録媒体１１６に記録される。
【０１７０】
Ｉピクチャ検出信号を受信した場合、検出したＩピクチャに対応するトランスポートパケット２１を記録媒体１１６に記録する際のアドレス情報が、管理テーブル記録媒体１１５に記録される。
【０１７１】
管理テーブル記録媒体１１５に記録されるアドレス情報は、その記録領域を小さくするために、例えば図１２に示すように、Ｉピクチャのスタートアドレス１２１（図中、Ｉピクチャ記録スタートアドレス。以下、スタートアドレスと称す）とエンドアドレス１２２（図中、Ｉピクチャ記録エンドアドレス。以下、エンドアドレスと称す）のみを記録する。
【０１７２】
また、次のＩピクチャのアドレス情報を示す管理テーブルを記録したアドレス１２３（図中、次のＩピクチャ管理テーブルアドレス）も記録する。
【０１７３】
なお、上記スタートアドレス１２１、エンドアドレス１２２および次のＩピクチャ管理テーブルアドレス１２３を少なくとも含む情報の構成を、ここでは管理テーブルと称す。また、この管理テーブルには、全Ｉピクチャの記録位置に対応するアドレスが記録される。
【０１７４】
通常再生の場合、記録手段としての記憶媒体１１６に記録されているデータ（記録データ）は、データ読み出し部１１７によりトランスポートパケット単位で取り出される。
【０１７５】
早送り等の特殊再生時を行う際、データ読み出し部１１７は、特殊再生の制御が開始される時点における、それまでアクセスしていたアドレスに最も近く、且つ大きいアドレスの値を有するアドレスを管理テーブル記録媒体１１５に記録されているアドレス情報から検出する。
【０１７６】
このようなアドレスは、管理テーブル記録媒体１１５に記録されているスタートアドレス１２１の中から検出される。
【０１７７】
記録媒体１１６上のデータ記録領域において、スタートアドレス１２１からエンドアドレス１２２までは、Ｉピクチャが記録されている。
【０１７８】
従って、Ｉピクチャの再生においては、データ読み出し部１１７によって、記録媒体１１７の読みだしアドレス（アクセスしているアドレス）がエンドアドレスに等しくなるまで、記録媒体からの記録データの読み出しが行われる。
【０１７９】
この読み出された記録データは、後段のトランスポートストリームデマルチプレクサ１１８に転送される。
【０１８０】
データ読み出し部１１７による記録データの読み出し動作において、読み出しアドレスがエンドアドレスに等しくなった場合、データ読み出し部１１７は、次のＩピクチャ管理テーブルアドレス１２３を参照する。
【０１８１】
続いて、ここで参照した、次のＩピクチャ管理テーブルアドレス１２３へのアクセスがデータ読み出し部１１７によって行われる。そして、データ読み出し部１１７は、アクセスした次のＩピクチャ管理テーブルに格納された、次のＩピクチャのスタートアドレスを得る。
【０１８２】
上述した、データ読み出し部１１７によるスタートアドレスからエンドアドレスまでの読み出し動作が、Ｉピクチャ毎に繰り返し行われる。なお、次のＩピクチャは、後段のトランスポートストリームデマルチプレクサ１１８に転送される。
【０１８３】
このデジタル記録再生装置は、以上のように構成され、全Ｉピクチャの記録位置を管理するための管理テーブル（または、アドレス）を有しているため、全Ｉピクチャの記録位置を管理するための管理テーブル（または、アドレス）を有しない場合と比べ、きめ細かい早送り再生が実現できる。
【０１８４】
また、記録媒体１１６に記録する映像ストリームを暗号化する場合、本実施の形態６における管理テーブルを用いることにより、Ｉピクチャの位置を特定することができるため、暗号化記録時に管理テーブルを使用しない場合に比べアクセス性がよい。
【０１８５】
実施の形態７．
次に、本発明の実施の形態７に係るデジタル記録再生装置について説明する。
図１０は、実施の形態７に係るデジタル記録再生装置を示しており、実施の形態５と同じ構成である。しかしながら、ピクチャ種別解析部１０３の動作が実施の形態５とは異なる。
【０１８６】
ピクチャ種別解析部１０３は、ペイロード２３が映像データのＩまたはＰピクチャが存在するか否かを、各トランスポートパケット２１毎に解析する。
【０１８７】
この場合の解析は、実施の形態２に説明したピクチャ種別の解析方法と同様に行われる。すなわち、この場合、ピクチャヘッダ４５内のｐｉｃｔｕｒｅ＿ｃｏｄｉｎｇ＿ｔｙｐｅを解析することが行われる。
【０１８８】
実施の形態２に説明したピクチャ種別の解析方法によってＩまたはＰピクチャを検出すると、ピクチャ種別解析部１０３は、データ記録・管理テーブル作成部１０４に映像データ及びＩまたはＰピクチャ検出信号（以下、ＩＰピクチャ検出信号と称す）を送る。
【０１８９】
このピクチャ種別解析部１０３から出力されるＩＰピクチャ検出信号は、ピクチャ種別解析部１０３がＩまたはＰピクチャの終了を検出するまで出力される。
【０１９０】
データ記録・管理テーブル作成部１０４は、受信した映像データを記録媒体１０５に出力し、当該映像データが記録媒体１０５に記録される。
【０１９１】
ＩＰピクチャ検出信号を受信した場合、検出したＩまたはＰピクチャに対応するトランスポートパケット２１を記録媒体１０５に記録する際の、ＩまたはＰピクチャに対応するアドレス情報が、記録媒体１０５のテーブル管理領域に記録される。
【０１９２】
記録媒体１０５のテーブル管理領域に記録されるアドレス情報は、テーブル管理領域を小さくするために、例えば図１３に示すように、Ｉピクチャのスタートアドレス１３２（図中、Ｉピクチャ記録スタートアドレス。以下、スタートアドレスと称す）とエンドアドレス１３３（図中、Ｉピクチャ記録エンドアドレス。以下、エンドアドレスと称す）のみを記録する。
【０１９３】
また、特殊再生等によりランダムアクセスが開始された時、Ｉピクチャからアクセスを可能とするため、上記アドレス情報と共に記録するピクチャタイプ１３１が記録される。
【０１９４】
また、次のＩまたはＰピクチャのアドレス情報を示す管理テーブルを記録したアドレス１３４（図中、次のピクチャ管理テーブルアドレス）も記録する。
【０１９５】
なお、上記ピクチャタイプ１３１、スタートアドレス１３２、エンドアドレス１３３および次のピクチャ管理テーブルアドレス１３４を少なくとも含む情報の構成を、ここでは管理テーブルと称す。
【０１９６】
通常再生の場合、記憶媒体１０５に記録されているデータ（記録データ）は、データ読み出し部１０６によりトランスポートパケット単位で取り出される。
【０１９７】
早送り等の特殊再生を行う際、データ読み出し部１０６は、特殊再生の制御が開始される時点における、それまでアクセスしていたアドレスに最も近く、且つ大きいアドレスの値を有するアドレスを検出する。
【０１９８】
このようなアドレスは、記録媒体１０５上の管理テーブル領域のスタートアドレス１３２の中から検出される。
【０１９９】
記録媒体１０５上のデータ記録領域において、スタートアドレス１３２からエンドアドレス１３３までは、Ｉピクチャが記録されている。
【０２００】
従って、Ｉピクチャの再生においては、データ読み出し部１０６によって、記録媒体１０５の読みだしアドレス（アクセスしているアドレス）がエンドアドレスに等しくなるまで、記録媒体からの記録データの読み出しが行われる。
【０２０１】
この読み出された記録データは、後段のトランスポートストリームデマルチプレクサ１０７に転送される。
【０２０２】
データ読み出し部１０６による記録データの読み出し動作において、読み出しアドレスがエンドアドレス１３３に等しくなった場合、データ読み出し部１０６は、次のＩピクチャ管理テーブルアドレス１３４を参照する。
【０２０３】
続いて、ここで参照した、次のＩピクチャ管理テーブルアドレス１３４へのアクセスがデータ読み出し部１０６によって行われる。そして、データ読み出し部１０６は、アクセスした次のＩピクチャ管理テーブルに格納された、次のＩピクチャのスタートアドレスを得る。
【０２０４】
上述した、データ読み出し部１０６によるスタートアドレス１３２からエンドアドレス１３３までの読み出し動作が、Ｉピクチャ毎に繰り返し行われる。なお、次のＩピクチャは、後段のトランスポートストリームデマルチプレクサ１０７に転送される。
【０２０５】
このデジタル記録再生装置は、以上のように構成され、ＩまたはＰピクチャだけがデコードされて表示され、Ｉピクチャのみの表示に比べ、アクセスするピクチャのスキップ間隔が短くなり、これにより、よりなめらかな早送り再生が実現できる。
【０２０６】
実施の形態８．
次に、本発明の実施の形態８に係るデジタル記録再生装置について説明する。
図１１は、実施の形態８に係るデジタル記録再生装置を示しており、実施の形態６と同じ構成である。しかしながら、ピクチャ種別解析部１１３の動作が実施の形態６とは異なる。
【０２０７】
ピクチャ種別解析部１１３は、ペイロード２３が映像データのＩまたはＰピクチャが存在するか否かを、各トランスパケット２１毎に解析する。
【０２０８】
この場合の解析は、実施の形態２に説明したピクチャ種別の解析方法と同様に行われる。すなわち、この場合、ピクチャヘッダ４５内のｐｉｃｔｕｒｅ＿ｃｏｄｉｎｇ＿ｔｙｐｅを解析することが行われる。
【０２０９】
実施の形態２に説明したピクチャ種別の解析方法によってＩまたはＰピクチャを検出すると、ピクチャ種別解析部１１３は、データ記録・管理テーブル作成部１１４に映像データ及びＩまたはＰピクチャ検出信号（以下、ＩＰピクチャ検出信号と称す）を送る。
【０２１０】
このピクチャ種別解析部１１３から出力されるＩＰピクチャ検出信号は、ピクチャ種別解析部１１３がＩまたはＰピクチャの終了を検出するまで出力される。
【０２１１】
データ記録・管理テーブル作成部１１４は、受信した映像データを記録媒体１１６に出力し、当該映像データが記録媒体１１６に記録される。
【０２１２】
ＩＰピクチャ検出信号を受信した場合、検出したＩまたはＰピクチャに対応するトランスポートパケット２１を記録媒体１１６に記録する際のアドレス情報が、管理テーブル記録媒体１１５に記録される。
【０２１３】
管理テーブル記録媒体１１５に記録されるアドレス情報は、テーブル管理領域を小さくするために、例えば図１３に示すように、Ｉピクチャのスタートアドレス１３２（図中、Ｉピクチャ記録スタートアドレス。以下、スタートアドレスと称す）とエンドアドレス１３３（図中、Ｉピクチャ記録エンドアドレス。以下、エンドアドレスと称す）のみを記録する。
【０２１４】
また、特殊再生等によりランダムアクセスが開始された時、Ｉピクチャからアクセスを可能とするため、上記アドレス情報と共に記録するピクチャタイプ１３１が記録される。
【０２１５】
また、次のＩまたはＰピクチャのアドレス情報を示す管理テーブルを記録したアドレス１３４（図中、次のピクチャ管理テーブルアドレス）も記録する。
【０２１６】
なお、上記ピクチャタイプ１３１、スタートアドレス１３２、エンドアドレス１３３および次のピクチャ管理テーブルアドレス１３４を少なくとも含む情報の構成を、ここでは管理テーブルと称す。
【０２１７】
通常再生の場合、記憶媒体１１６に記録されているデータ（記録データ）は、データ読み出し部１１７によりトランスポートパケット単位で取り出される。
【０２１８】
早送り等の特殊再生を行う際、データ読み出し部１１７は、特殊再生の制御が開始される時点における、それまでアクセスしていたアドレスに最も近く、且つ大きいアドレスの値を有するアドレスを検出する。
【０２１９】
このようなアドレスは、記録媒体１１６上の管理テーブル領域のスタートアドレス１３２の中から検出される。
【０２２０】
記録媒体１１６上のデータ記録領域において、スタートアドレス１３２からエンドアドレス１３３までは、Ｉピクチャが記録されている。
【０２２１】
従って、Ｉピクチャの再生においては、データ読み出し部１１７によって、記録媒体１１６の読みだしアドレス（アクセスしているアドレス）がエンドアドレスに等しくなるまで、記録媒体からの記録データの読み出しが行われる。
【０２２２】
この読み出された記録データは、後段のトランスポートストリームデマルチプレクサ１１８に転送される。
【０２２３】
データ読み出し部１１７による記録データの読み出し動作において、読み出しアドレスがエンドアドレス１３３に等しくなった場合、データ読み出し部１１７は、次のＩピクチャ管理テーブルアドレス１３４を参照する。
【０２２４】
続いて、ここで参照した、次のＩピクチャ管理テーブルアドレス１３４へのアクセスがデータ読み出し部１１７によって行われる。そして、データ読み出し部１１７は、アクセスした次のＩピクチャ管理テーブルに格納された、次のＩピクチャのスタートアドレスを得る。
【０２２５】
上述した、データ読み出し部１１７によるスタートアドレス１３２からエンドアドレス１３３までの読み出し動作が、Ｉピクチャ毎に繰り返し行われる。なお、次のＩピクチャは、後段のトランスポートストリームデマルチプレクサ１１８に転送される。
【０２２６】
このデジタル記録再生装置は、以上のように構成され、ＩまたはＰピクチャだけがデコードされて表示され、Ｉピクチャのみの表示に比べ、アクセスするピクチャのスキップ間隔が短くなり、これにより、よりなめらかな早送り再生が実現できる。
【０２２７】
以上のように、上述の本発明を実施するための形態におけるデジタル信号記録装置および方法、デジタル信号再生装置および方法は、以下の構成を有する。
【０２２８】
第１の構成は、映像信号に対応する一連のトランスポートパケットにより構成されるトランスポートストリームから前記トランスポートパケットを抽出し、該トランスポートパケットに対応して前記映像信号の種別を解析する種別解析手段と、
該種別解析手段が解析した前記映像信号の種別に対応する情報を生成する情報生成手段とを備えることを特徴とするデジタル信号記録装置である。
【０２２９】
第２の構成は、情報生成手段において生成される情報は、映像信号の種別を表わす種別情報であり、この種別情報がトランスポートパケットのヘッダに付加される第１の構成に記載のデジタル信号記録装置である。
【０２３０】
第３の構成は、種別情報が、フレーム内符号化画像に対応するものである第２の構成に記載のデジタル信号記録装置である。
【０２３１】
第４の構成は、種別情報が、フレーム内符号化画像またはフレーム間順方向予測符号化画像に対応するものである第２の構成に記載のデジタル信号記録装置である。
【０２３２】
第５の構成は、トランスポートパケットを記録する記録手段を更に備え、
情報生成手段において生成される情報は、前記記録手段に記録する際のアドレス情報であることを特徴とする第１の構成に記載のデジタル信号記録装置である。
【０２３３】
第６の構成は、アドレス情報は、フレーム内符号化画像に対応するものである第５の構成に記載のデジタル信号記録装置である。
【０２３４】
第７の構成は、アドレス情報が、フレーム内符号化画像またはフレーム間順方向予測符号化画像に対応するものである第５の構成に記載のデジタル信号記録装置である。
【０２３５】
第８の構成は、映像信号に対応する一連のトランスポートパケットにより構成されるトランスポートストリームから前記トランスポートパケットを抽出し、
該トランスポートパケットに対応して前記映像信号の種別を解析し、
該解析された前記映像信号の種別に対応する情報を生成することを含むデジタル信号記録方法である。
【０２３６】
第９の構成は、映像信号の種別に対応する情報を生成するに際し、生成される情報は、映像信号の種別を表わす種別情報であり、この種別情報がトランスポートパケットのヘッダに付加される第８の構成に記載のデジタル信号記録方法である。
【０２３７】
第１０の構成は、種別情報が、フレーム内符号化画像に対応するものである第９の構成に記載のデジタル信号記録方法である。
【０２３８】
第１１の構成は、種別情報が、フレーム内符号化画像またはフレーム間順方向予測符号化画像に対応するものである第９の構成に記載のデジタル信号記録方法である。
【０２３９】
第１２の構成は、映像信号の種別に対応する情報を生成した後、トランスポートパケットを記録することを更に含み、
前記情報を生成するに際して生成される情報は、前記トランスポートパケットを記録する際のアドレス情報であることを特徴とする第８の構成に記載のデジタル信号記録方法である。
【０２４０】
第１３の構成は、アドレス情報は、フレーム内符号化画像に対応するものである第１２の構成に記載のデジタル信号記録方法である。
【０２４１】
第１４の構成は、アドレス情報が、フレーム内符号化画像またはフレーム間順方向予測符号化画像に対応するものである第１２の構成に記載のデジタル信号記録方法である。
【０２４２】
第１５の構成は、入力されるトランスポートストリームから該トランスポートストリームを構成するトランスポートパケットを抽出し、該抽出されたトランスポートパケットのヘッダに含まれる前記トランスポートパケットの有する映像信号の種別に対応する情報を解析する情報解析手段と、
該情報解析手段が解析した前記映像信号に対応する情報に基づいて記録手段に記録された前記映像信号を選択的に再生する再生手段とを有することを特徴とするデジタル信号再生装置である。
【０２４３】
第１６の構成は、情報解析手段において解析される情報は、映像信号の種別を表わす種別情報である第１５の構成に記載のデジタル信号再生装置である。
【０２４４】
第１７の構成は、種別情報が、フレーム内符号化画像に対応するものである第１６の構成に記載のデジタル信号再生装置である。
【０２４５】
第１８の構成は、種別情報が、フレーム内符号化画像またはフレーム間順方向予測符号化画像に対応するものである第１６の構成に記載のデジタル信号再生装置である。
【０２４６】
第１９の構成は、情報解析手段において解析される情報は、記録手段に記録された映像情報に対応するアドレス情報であることを特徴とする第１５の構成に記載のデジタル信号再生装置である。
【０２４７】
第２０の構成は、アドレス情報は、フレーム内符号化画像に対応するものである第１９の構成に記載のデジタル信号再生装置である。
【０２４８】
第２１の構成は、アドレス情報は、フレーム内符号化画像またはフレーム間順方向予測符号化画像に対応するものである第１９の構成に記載のデジタル信号再生装置である。
【０２４９】
第２２の構成は、情報解析手段において解析された映像信号の種別に対応する情報の出現回数を計数する計数手段、および再生速度に応じて設定される再生速度制御パラメータと前記計数手段によって計数される出現回数とを比較する比較手段をさらに備え、該比較手段から出力される比較結果に応じて再生する前記映像信号が決定される第１５の構成に記載のデジタル信号再生装置である。
【０２５０】
第２３の構成は、外部より与えられる、再生速度情報に基づいて再生される映像信号の再生速度が可変である第１５の構成に記載のデジタル信号再生装置である。
【０２５１】
第２４の構成は、入力されるトランスポートストリームから該トランスポートストリームを構成するトランスポートパケットを抽出し、
該抽出されたトランスポートパケットのヘッダに含まれる前記トランスポートパケットの有する映像信号の種別に対応する情報を解析し、
該解析した前記映像信号に対応する情報に基づいて、記録手段に記録された前記映像信号を選択的に再生することを含むデジタル信号再生方法である。
【０２５２】
第２５の構成は、トランスポートパケットの有する映像信号の種別に対応する情報を解析するに際し、該解析される情報は、映像信号の種別を表わす種別情報である第２４の構成に記載のデジタル信号再生方法である。
【０２５３】
第２６の構成は、種別情報が、フレーム内符号化画像に対応するものである第２５の構成に記載のデジタル信号再生方法である。
【０２５４】
第２７の構成は、種別情報が、フレーム内符号化画像またはフレーム間順方向予測符号化画像に対応するものである第２４の構成に記載のデジタル信号再生方法である。
【０２５５】
第２８の構成は、トランスポートパケットの有する映像信号の種別に対応する情報を解析するに際し、該解析される情報は、記録手段に記録された映像情報に対応するアドレス情報であることを特徴とする第２４の構成に記載のデジタル信号再生方法である。
【０２５６】
第２９の構成は、アドレス情報は、フレーム内符号化画像に対応するものである第２８の構成に記載のデジタル信号再生方法である。
【０２５７】
第３０の構成は、アドレス情報は、フレーム内符号化画像またはフレーム間順方向予測符号化画像に対応するものである第２８の構成に記載のデジタル信号再生方法である。
【０２５８】
第３１の構成は、トランスポートパケットの有する映像信号の種別に対応する情報を解析するに際し、
該解析された映像信号の種別に対応する情報の出現回数を計数し、
再生速度に応じて設定される再生速度制御パラメータと前記計数した出現回数とを比較し、
該比較した結果に応じて再生する前記映像信号が決定される第２４の構成に記載のデジタル信号再生方法である。
【０２５９】
以上のように構成したので、本構成によれば以下の効果がある。
本構成によるデジタル信号記録装置は、映像信号に対応する一連のトランスポートパケットにより構成されるトランスポートストリームから前記トランスポートパケットを抽出し、該トランスポートパケットに対応して前記映像信号の種別を解析する種別解析手段と、該種別解析手段が解析した前記映像信号の種別に対応する情報を生成する情報生成手段とを備えることを特徴とするので、特殊再生の実現が容易となる。
【０２６０】
また、情報生成手段において生成される情報は、映像信号の種別を表わす種別情報であり、この種別情報がトランスポートパケットのヘッダに付加されることを特徴とするので、再生時における種別情報の読み出しが容易となる。
【０２６１】
また、種別情報が、フレーム内符号化画像に対応するものであることを特徴とするので、フレーム内符号化画像の判別が容易となる。
【０２６２】
また、種別情報が、フレーム内符号化画像またはフレーム間順方向予測符号化画像に対応するものであることを特徴とするので、フレーム内符号化画像またはフレーム間順方向予測符号化画像の判別が容易となる。
【０２６３】
また、トランスポートパケットを記録する記録手段を更に備え、情報生成手段において生成される情報は、前記記録手段に記録する際のアドレス情報であることを特徴とするので、特殊再生時の高速なアクセスが容易に実現できる。
【０２６４】
また、アドレス情報は、フレーム内符号化画像に対応するものであることを特徴とするので、フレーム内符号化画像へのアクセスが容易となる。
【０２６５】
また、アドレス情報が、フレーム内符号化画像またはフレーム間順方向予測符号化画像に対応するものであることを特徴とするので、フレーム内符号化画像またはフレーム間順方向予測符号化画像へのアクセスが容易となる。
【０２６６】
本構成によるデジタル信号記録方法は、映像信号に対応する一連のトランスポートパケットにより構成されるトランスポートストリームから前記トランスポートパケットを抽出し、該トランスポートパケットに対応して前記映像信号の種別を解析し、該解析された前記映像信号の種別に対応する情報を生成することを含むことを特徴とするので、特殊再生の実現が容易となる。
【０２６７】
また、映像信号の種別に対応する情報を生成するに際し、生成される情報は、映像信号の種別を表わす種別情報であり、この種別情報がトランスポートパケットのヘッダに付加されることを特徴とするので、再生時における種別情報の読み出しが容易となる。
【０２６８】
また、種別情報が、フレーム内符号化画像に対応するものであることを特徴とするので、フレーム内符号化画像の判別が容易となる。
【０２６９】
また、種別情報が、フレーム内符号化画像またはフレーム間順方向予測符号化画像に対応するものであることを特徴とするので、フレーム内符号化画像またはフレーム間順方向予測符号化画像の判別が容易となる。
【０２７０】
また、映像信号の種別に対応する情報を生成した後、トランスポートパケットを記録することを更に含み、前記情報を生成するに際して生成される情報は、前記トランスポートパケットを記録する際のアドレス情報であることを特徴とするので、特殊再生時の高速なアクセスが容易に実現できる。
【０２７１】
また、アドレス情報は、フレーム内符号化画像に対応するものであることを特徴とするので、フレーム内符号化画像へのアクセスが容易となる。
【０２７２】
また、アドレス情報が、フレーム内符号化画像またはフレーム間順方向予測符号化画像に対応するものであることを特徴とするので、フレーム内符号化画像またはフレーム間順方向予測符号化画像へのアクセスが容易となる。
【０２７３】
本構成によるデジタル信号再生装置は、入力されるトランスポートストリームから該トランスポートストリームを構成するトランスポートパケットを抽出し、該抽出されたトランスポートパケットのヘッダに含まれる前記トランスポートパケットの有する映像信号の種別に対応する情報を解析する情報解析手段と、該情報解析手段が解析した前記映像信号に対応する情報に基づいて記録手段に記録された前記映像信号を選択的に再生する再生手段とを有することを特徴とするので、特殊再生における高速アクセスの実現が容易となる。
【０２７４】
また、情報解析手段において解析される情報は、映像信号の種別を表わす種別情報であることを特徴とするので、再生時における種別情報の読み出しが容易となる。
【０２７５】
また、種別情報が、フレーム内符号化画像に対応するものであることを特徴とするので、フレーム内符号化画像の判別が容易となる。
【０２７６】
また、種別情報が、フレーム内符号化画像またはフレーム間順方向予測符号化画像に対応するものであることを特徴とするので、フレーム内符号化画像またはフレーム間順方向予測符号化画像の判別が容易となる。
【０２７７】
また、情報解析手段において解析される情報は、記録手段に記録された映像情報に対応するアドレス情報であることを特徴とするので、特殊再生時の高速なアクセスが容易に実現できる。
【０２７８】
また、アドレス情報は、フレーム内符号化画像に対応するものであることを特徴とするので、フレーム内符号化画像へのアクセスが容易となる。
【０２７９】
また、アドレス情報は、フレーム内符号化画像またはフレーム間順方向予測符号化画像に対応するものであることを特徴とするので、フレーム内符号化画像またはフレーム間順方向予測符号化画像へのアクセスが容易となる。
【０２８０】
また、情報解析手段において解析された映像信号の種別に対応する情報の出現回数を計数する計数手段、および再生速度に応じて設定される再生速度制御パラメータと前記計数手段によって計数される出現回数とを比較する比較手段をさらに備え、該比較手段から出力される比較結果に応じて再生する前記映像信号が決定されることを特徴とするので、特殊再生における高速アクセスの実現が容易となる。
【０２８１】
また、外部より与えられる、再生速度情報に基づいて再生される映像信号の再生速度が可変であることを特徴とするので、可変速再生が任意に行える。
【０２８２】
本構成によるデジタル信号再生方法は、入力されるトランスポートストリームから該トランスポートストリームを構成するトランスポートパケットを抽出し、該抽出されたトランスポートパケットのヘッダに含まれる前記トランスポートパケットの有する映像信号の種別に対応する情報を解析し、該解析した前記映像信号に対応する情報に基づいて、記録手段に記録された前記映像信号を選択的に再生することを含むことを特徴とするので、特殊再生における高速アクセスの実現が容易となる。
【０２８３】
また、トランスポートパケットの有する映像信号の種別に対応する情報を解析するに際し、該解析される情報は、映像信号の種別を表わす種別情報であることを特徴とするので、再生時における種別情報の読み出しが容易となる。
【０２８４】
また、種別情報が、フレーム内符号化画像に対応するものであることを特徴とするので、フレーム内符号化画像の判別が容易となる。
【０２８５】
また、種別情報が、フレーム内符号化画像またはフレーム間順方向予測符号化画像に対応するものであることを特徴とするので、フレーム内符号化画像またはフレーム間順方向予測符号化画像の判別が容易となる。
【０２８６】
また、トランスポートパケットの有する映像信号の種別に対応する情報を解析するに際し、該解析される情報は、記録手段に記録された映像情報に対応するアドレス情報であることを特徴とするので、特殊再生時の高速なアクセスが容易に実現できる。
【０２８７】
また、アドレス情報は、フレーム内符号化画像に対応するものであることを特徴とするので、フレーム内符号化画像へのアクセスが容易となる。
【０２８８】
また、アドレス情報は、フレーム内符号化画像またはフレーム間順方向予測符号化画像に対応するものであることを特徴とするので、フレーム内符号化画像またはフレーム間順方向予測符号化画像へのアクセスが容易となる。
【０２８９】
また、トランスポートパケットの有する映像信号の種別に対応する情報を解析するに際し、該解析された映像信号の種別に対応する情報の出現回数を計数し、再生速度に応じて設定される再生速度制御パラメータと前記計数した出現回数とを比較し、該比較した結果に応じて再生する前記映像信号が決定されることを特徴とするので、特殊再生における高速アクセスの実現が容易となる。
【符号の説明】
【０２９０】
１１，７１，８１，１０１，１１１  チューナー、１２，７２，８２，１０２，１１２  ＰＩＤフィルタ、１３，７３，８３  ピクチャ種別解析／フラグ付加部、１０３，１１３  ピクチャ種別解析部、１４，７４，８４  データ記録部、１０４，１１４  データ記録・管理テーブル作成部、１５，７５，８５，１０５，１１６  記録媒体、１６，７６，８６，１０６，１１７  データ読み出し部、１７  Ｉピクチャ抽出部、７７  ＩＰピクチャ抽出部、８７  Ｉ−ＩＰピクチャ抽出部、１８，７８，８８，１０７，１１８  トランスポートストリームデマルチプレクサ、１９，７９，８９，１０８，１１９  オーディオ・ビデオデコーダ、８０  再生速度制御部、１１５  管理テーブル記録媒体。
【図１】
2011103687.tif 000003
【図２】
2011103687.tif 000004
【図３】
2011103687.tif 000005
【図４】
2011103687.tif 000006
【図５】
2011103687.tif 000007
【図６】
2011103687.tif 000008
【図７】
2011103687.tif 000009
【図８】
2011103687.tif 000010
【図９】
2011103687.tif 000011
【図１０】
2011103687.tif 000012
【図１１】
2011103687.tif 000013
【図１２】
2011103687.tif 000014
【図１３】
2011103687.tif 000015